(57)【特許請求の範囲】
【請求項１】
防音機能を有するパネルである本体と、該本体の下端部にほぼ全範囲にわたって取着され、本体の下端部より垂下された可撓性を有するシート材とを備えた防音パネルであって、本体の下端部には開口部が狭くなされた蟻溝状の取付溝が設けられ、シート材は一縁部に全長に亘って突起部が一体に設けられ、本体の下端部には前記突起部が挿入される取付溝が設けられ、該取付溝の開口縁部間の寸法が突起部の厚さより小さくなされ、遮音板の周囲に遮音板を保持する枠体が形成されて本体となされ、枠体は上枠材に相対向して下枠材が設けられたものであって、該下枠材は前側の壁面と後側の壁面とにより下方が開口された開口部が設けられ、前側の壁面の下端部に前記開口溝が設けられていることを特徴とする防音パネル。
【請求項２】
本体は、透光性を有する遮音板であることを特徴とする請求項１に記載の防音パネル。
【発明の詳細な説明】
【０００１】
【発明の属する技術分野】
本発明は、主として車輌等の走行に伴う騒音を遮音・吸音するために、高速道路や鉄道等の側縁に沿って設置される防音パネルに関するものである。
【０００２】
【従来の技術】
一般に、高速道路等に設置される防音壁は、図５（イ）の如く、高速道路や鉄道等の側縁に沿って設けられた壁高欄ａに、一定間隔をおいて立設された断面Ｈ型の支柱ｂの間に、順次防音パネルｃを段積して形成される。
【０００３】
しかしながら、従来の防音壁は、その最下段の防音パネルｃと壁高欄ａとの間に、図５（ロ）の如く隙間ｄが生じることがある。この様な隙間ｄが生じると、騒音漏れが発生して防音性能が著しく低下し、又この隙間を風が通ると風切り音が発生することがある。
【０００４】
このため、従来では、鉄板等でその隙間を塞いでいたが十分な閉塞ができず、また、壁高欄の不陸や防音パネルの傾斜に適確に対応できず、期待する防音効果が得られなかった。
【０００５】
そこで、本出願人による特開２００１−３２９６３２号公報において、防音パネルと、その防音パネルの下端部にほぼ全範囲にわたって取着され、防音パネルの下端部より垂下された可撓性を有するシート材とを備えた防音パネルにより、防音パネルと壁高欄との間で発生していた騒音漏れや風切り音を防止できる発明が開示されている。
【０００６】
【発明が解決しようとする課題】
しかしながら、前記特開２００１−３２９６３２号公報に記載の防音パネルについては、シート材を防音パネルの下端に取り付ける際には、リベットやボルト等の締結手段を用いたり、粘着材を塗布して接着するといった方法が示されているが、締結手段を用いる方法では、防音パネルの下端部及びシート材に貫通孔を設ける必要があり、また締結時に孔位置を合わせる必要がある等、取り付けの際に煩雑な工程が必要であった。また、粘着材などを塗布してシート材を防音パネルの下端部に接着させる方法でも、粘着材などを塗布して、且つ塗布直後に貼り付けるといった煩雑な工程が必要であった。
【０００７】
そこで本発明は、上記の如き課題を解決し、シート材を容易に取り付けることが可能で、防音性能の低下が解消されると共に隙間によって発生していた風切り音を解消することができる防音パネルを提供せんとするものである。
【０００８】
【課題を解決するための手段】
上記課題を解決するために、本発明は以下のような構成としている。すなわち、防音機能を有するパネルである本体と、該本体の下端部にほぼ全範囲にわたって取着され、本体の下端部より垂下された可撓性を有するシート材とを備えた防音パネルであって、本体の下端部には開口部が狭くなされた蟻溝状の取付溝が設けられ、シート材は一縁部に全長に亘って突起部が一体に設けられ、本体の下端部には前記突起部が挿入される取付溝が設けられ、該取付溝の開口縁部間の寸法が突起部の厚さより小さくなされ、遮音板の周囲に遮音板を保持する枠体が形成されて本体となされ、枠体は上枠材に相対向して下枠材が設けられたものであって、該下枠材は前側の壁面と後側の壁面とにより下方が開口された開口部が設けられ、前側の壁面の下端部に前記開口溝が設けられていることを特徴とするものである。
【０００９】
本発明によれば、シート材と一体に設けられた突起部が、本体の下端部に設けられ開口縁部の寸法がシート材の突起部の厚さより狭くなされた取付溝に挿入されることで、シート材は取付溝の端部から挿入して取付溝内を摺動させたり、またシート材が可撓性のものであることから、シート材の突起部を変形させて開口部から取付溝に挿入することで、容易に防音パネル下端部に取り付けることが可能となる。また、開口縁部の寸法が突起部の厚さより小さくなされていることで突起部が抜け止めとなり、シート材が防音パネルから外れにくくなる。
【００１０】
かかる構成により、可撓性を有するシート材を容易に取り付けて垂下させ、防音パネルを壁高欄上に設置した場合において、このシート材により防音パネルと壁高欄の間に生じる隙間が閉塞されるので、防音性能の低下が解消されると共に隙間によって発生していた風切り音を解消することができる。
【００１１】
本発明における防音パネルは、透光性を有する遮音板であってもよい。
【００１２】
【発明の実施の形態】
以下本発明の実施の形態を図面を参照しながら具体的に説明する。
図１は本発明に係る防音パネルの実施の一形態を示す正面図であり、防音パネル１０は、透光性の遮音板２の周囲に遮音板２を保持する枠体３が形成されて本体Ａとなされ、本体Ａの、上枠材３Ｂに相対向する下枠材３Ａの下端部にはほぼ全範囲に亘ってシート材１が取り付けられている。
【００１３】
図２は、図１に示した防音パネルの断面図である。本体Ａの下枠材３Ａは下方が開口された開口部Ｂを有するものであり、防音パネル１０が設置された状況において、この開口部Ｂに落下防止の索条や通信用のケーブル等が挿通可能となされている。更に下枠材３Ａの下端部に設けられた取付溝３Ａ１にシート材１が取り付けられている。
【００１４】
図３は、取付溝３Ａ１へのシート材１の取り付けの詳細を示す説明図であり、下枠材３Ａの下端部に設けられた取付溝３Ａ１は、開口部３Ａ２が狭くなされた蟻溝状のものであり、シート材１には全長に亘って突起部１１がシート材と一体に設けられている。蟻溝状となされた開口部３Ａ２の、開口縁部の寸法ｄ１は突起部の付け根の厚みｄ２より大きいものとなされ、且つ突起部の厚みｄ３より小さいものとなされていることで、突起部１１が前記蟻溝状の取付溝３Ａ１内に遊嵌され、シート材１の取り付けを容易にすると共に、突起部１１が開口部３Ａ２からの抜け止めとなされるものである。
【００１５】
シート材１は、ＥＰＤＭやＥＰＴ等、任意のゴムや合成樹脂エラストマー等で形成されてよく、更には厚みの小さいアルミニウムや鋼板等の金属により形成されるものであってもよい。又シート材１は施工現場で切り込みを入れたりして微調整がし易いように通常厚みを１〜５ｍｍ程度としている。
【００１６】
前記形態における本体Ａは、透光性を有する遮音板２を用いて形成するものに限定されず、例えば多数の透孔を有する前面板と遮音性を有する背面板及び側面板とによって形成された中空体内に吸音材が充填されたものでもよく、さらにコンクリート等からなる透光性を有しない遮音板であってもよく、本発明における防音パネル１０の形態は特に限定されるものではない。
【００１７】
また取付溝３Ａ１及び突起部１１の形状は、図４に示す如きものであってよい。（イ）に示すようにシート材１の突起部１１及び下枠材３Ａの取付溝３Ａ１の形状を円形のものとすれば、遊嵌時の抵抗を小さくでき、シート材１を摺動させて取り付けるのが容易となる。また（ロ）に示すように矩形のものとすれば、取付溝３Ａ１の底面３Ａ３により突起部１１が支えられることで、シート材１に強い力がかかった場合でも突起部１１を取付溝３Ａ１から抜け辛くできる。更に（ハ）に示すように、底面３Ａ３を開口部３Ａ２に向かって漸進的に傾斜させた形状とすることで、より一方の端部１１を取付溝３Ａ１から抜け辛くすることができる。
【００１８】
【発明の効果】
本発明によれば、防音パネルの下端部には、開口部より広くなされた中空部を有し、同一の断面形状が連続する取付溝が設けられ、且つシート材の一方の端部が取付溝内で摺動可能に取り付けられていることで、シート材は取付溝の端部から挿入して取付溝内を摺動させることで、容易に防音パネル下端部に取り付けることが可能となる。また、中空部が開口部より広くなされていることで、中空部と補完形状となされたシート材の一方の端部が抜け止めとなり、シート材が防音パネルから外れにくくなる。
【００１９】
かかる構成により、可撓性を有するシート材を容易に取り付けて垂下させ、防音パネルを壁高欄上に設置した場合において、このシート材により防音パネルと壁高欄の間に生じる隙間が閉塞されるので、防音性能の低下が解消されると共に隙間によって発生していた風切り音を解消することができる。
【図面の簡単な説明】
【図１】本発明に係る防音パネルの実施の一形態を示す正面図である。
【図２】図１に示した防音パネルの断面図である。
【図３】図１及び図２に示した防音パネルの、シート材の取り付けの詳細を示す説明図である。
【図４】本発明に係わる防音パネルの、シート材の取り付けの他の実施形態を示す断面図である。
【図５】従来の防音パネルの施工例を示し、（イ）はその正面図、（ロ）は平面図である。
【符号の説明】
１    シート材
１１  突起部
２    遮音板
３    枠材
３Ａ  下枠材
３Ａ１  取付溝
３Ａ２  開口部
３Ａ３  底面
【図１】
0003914453.tif 000002
【図２】
0003914453.tif 000003
【図３】
0003914453.tif 000004
【図４】
0003914453.tif 000005
【図５】
0003914453.tif 000006